(57)【要約】【課題】  スケジュールの変動に強く、かつ、信頼性の高いネットワーク資源の利用前予約方式を提案すること。【解決手段】  予約代行装置３０が、通信端末１１のＩＤ、移動体１２のＩＤ、および、利用開始地点と利用終了地点とを含む移動体１２の利用情報を特定するための移動情報の入力を受け付け、移動体１２のＩＤ、および、移動体１２の利用情報を基に、移動体運行管理装置２０から移動体１２の運行スケジュールを取得し、運行スケジュールから、移動体１２の到着予定地のネットワークを管理するネットワーク資源管理装置４２を特定し、特定されたネットワーク資源管理装置４２に、運行スケジュールから特定される移動体１２の到着予定地での滞在期間について、通信端末１１のＩＤに対応する通信端末１１のネットワーク資源の予約を行う。【選択図】      図１
2005260487.tif 000002
【特許請求の範囲】
【請求項１】
移動体に伴って移動する通信端末がネットワークを利用する前に、前記ネットワークの資源を予約するアクセス提供システムによるネットワーク資源予約方法であって、
前記アクセス提供システムは、前記通信端末のネットワークの資源の予約を代行する予約代行装置と、前記移動体の最新の運行スケジュールを管理する移動体運行管理装置と、前記ネットワークの資源を管理するネットワーク資源管理装置とを含めて構成され、
前記予約代行装置が、前記通信端末のＩＤ、前記移動体のＩＤ、および、利用開始地点と利用終了地点とを含む前記移動体の利用情報を特定するための移動情報の入力を受け付ける手順と、
前記予約代行装置が、前記移動体のＩＤ、および、前記移動体の利用情報を基に、前記移動体運行管理装置から前記移動体の前記運行スケジュールを取得する手順と、
前記予約代行装置が、前記運行スケジュールから、前記移動体の到着予定地のネットワークを管理する前記ネットワーク資源管理装置を特定する手順と、
前記予約代行装置が、前記特定されたネットワーク資源管理装置に、前記運行スケジュールから特定される前記移動体の前記到着予定地での滞在期間について、前記通信端末のＩＤに対応する通信端末のネットワークの資源の予約を記憶手段に行う手順と、
を実行することを特徴とするネットワーク資源予約方法。
【請求項２】
前記利用情報は、前記移動体における座席位置を特定する情報を含めて構成されることを特徴とする請求項１に記載のネットワーク資源予約方法。
【請求項３】
前記アクセス提供システムは、前記ネットワークにアクセスする端末を認証するネットワーク認証装置をさらに含めて構成され、
前記予約代行装置が、前記運行スケジュールから、前記移動体の到着予定地のネットワークに関するネットワーク認証装置を特定する手順と、
前記予約代行装置が、前記特定されたネットワーク認証装置に、前記通信端末のＩＤに対応する通信端末の認証を行う手順と、
を実行することを特徴とする請求項１または請求項２に記載のネットワーク資源予約方法。
【請求項４】
前記ネットワーク資源管理装置は、前記移動情報から特定される通信端末のネットワーク資源の予約を記憶手段に行う手順において、前記ネットワーク資源を既に予約または利用している端末に割り当てた資源の一部を、前記特定される通信端末の予約に再割り当てすることを特徴とする請求項１ないし請求項３のいずれか１項に記載のネットワーク資源予約方法。
【請求項５】
前記予約代行装置は、前記移動情報の入力を受け付ける手順において、前記移動情報が記録されたチケットから読み取られた前記移動情報の入力を受け付けることを特徴とする請求項１ないし請求項４のいずれか１項に記載のネットワーク資源予約方法。
【請求項６】
前記予約代行装置は、前記移動情報の入力を受け付ける手順において、前記移動体の乗降場所に到着するために通過する改札口のチケット読み取り装置が、前記チケットから読み取った移動情報の入力を受け付けることを特徴とする請求項５に記載のネットワーク資源予約方法。
【請求項７】
移動体に伴って移動する通信端末がネットワークを利用する前に、前記ネットワークの資源を予約するアクセス提供システムであって、
前記アクセス提供システムは、前記通信端末のネットワークの資源の予約を代行する予約代行装置と、前記移動体の最新の運行スケジュールを管理する移動体運行管理装置と、前記ネットワークの資源を管理するネットワーク資源管理装置とを含めて構成され、
前記予約代行装置は、前記通信端末のＩＤ、前記移動体のＩＤ、および、前記移動体の利用情報を特定するための移動情報の入力を受け付ける移動情報入力手段と、前記運行スケジュールから前記移動体の到着予定地のネットワークを管理する装置を特定するネットワーク特定手段と、前記運行スケジュールから特定される前記移動体の前記到着予定地での滞在期間について前記通信端末のＩＤに対応する通信端末のネットワークの資源の予約を行う資源予約手段とを有し、
前記移動体運行管理装置は、前記移動体の運行スケジュールを管理する運行スケジュール管理手段と、前記移動体の運行スケジュールを最新のものに更新する運行スケジュール更新手段と、利用開始地点と利用終了地点とを含む前記移動体の利用情報を基に、前記移動体の前記運行スケジュールを取得する運行スケジュール取得手段とを有すること
を実行することを特徴とするアクセス提供システム。
【請求項８】
前記利用情報は、前記移動体における座席位置を特定する情報を含めて構成されることを特徴とする請求項７に記載のアクセス提供システム。
【請求項９】
前記アクセス提供システムは、前記ネットワークにアクセスする端末を認証するネットワーク認証装置をさらに含めて構成され、
前記予約代行装置は、前記ネットワーク特定手段により特定されたネットワークの前記ネットワーク認証装置に対して、前記通信端末のＩＤに対応する通信端末の認証を行う認証手段をさらに含めて構成されること
特徴とする請求項７または請求項８に記載のアクセス提供システム。
【請求項１０】
請求項１ないし請求項６のいずれか１項に記載のネットワーク資源予約方法を、コンピュータに実行させるためのネットワーク資源予約プログラム。
【請求項１１】
請求項１ないし請求項６のいずれか１項に記載のネットワーク資源予約方法を、コンピュータに実行させるためのネットワーク資源予約プログラムを格納した、コンピュータが読み取り可能な記録媒体。
【発明の詳細な説明】
【技術分野】
【０００１】
本発明は、ユーザの移動情報を使用したネットワーク資源予約方法、アクセス提供システム、ネットワーク資源予約プログラム、および、記録媒体に関する。
【背景技術】
【０００２】
ネットワークの使用前に、そのネットワーク帯域の予約を行うシステムが提案されている（特許文献１など）。これにより、先だって帯域の予約を行った通信端末は、ネットワークの接続時には、既に予約されている帯域を即座に活用できる。よって、通信端末をネットワークに接続した後で、そのネットワークの帯域が確保できないという事態を防ぐことができ、通信端末の通信利用を円滑に行うことが可能となる。
【特許文献１】特開平２００１−１７７５５５号公報（段落[００１０]）
【発明の開示】
【発明が解決しようとする課題】
【０００３】
ここで、ネットワークの使用前に、そのネットワーク資源の予約を行う際には、予め分かっている通信端末の利用スケジュールを活用する方式と、利用スケジュールを活用しない方式とに分類できる。
【０００４】
まず、通信端末の利用スケジュールを活用する方式は、その利用スケジュールに従ってネットワーク資源の予約処理を行うことにより、利用しないネットワーク資源を無駄に予約するなどの処理のオーバーヘッドが生じることがないため、処理効率および通信回線の利用効率がよい。しかし、通信端末の移動中のトラブル（交通渋滞など）による利用スケジュールの変更が生じた場合、変更前の利用スケジュールに基づくネットワーク資源の予約処理は活用できないので、利用スケジュールの変更に弱い（あるいは変更を許容しない）。
【０００５】
一方、通信端末の利用スケジュールを活用しない方式（特許文献１など）は、通信端末の挙動を予測して、利用するであろうネットワークの資源を予約する。よって、予測が外れた場合には、利用しないネットワーク資源を無駄に予約するため、処理効率が悪いとともに、通信回線の利用効率も悪くなる。また、特許文献１に記載の技術は、通信端末の位置情報を基に通信端末の挙動を予測するため、利用するネットワークが、利用する直前になって判明することとなってしまう。そのため、利用する直前にネットワークの帯域予約を行うので、帯域予約が完了するまでの間、通信端末の利用を待たせてしまうこととなってしまう。しかし、利用スケジュールを活用しない方式は、ネットワーク資源の予約処理は、通信端末の移動中のトラブル（交通渋滞など）の影響を受けずに済むため、環境の変動に強い。
【０００６】
このように、利用スケジュールを活用する方式と、活用しない方式は、長所短所がそれぞれ異なっており、いずれの方式を採用するかどうかは、ユーザの選択によるものである。従って、ユーザにとって、いずれの方式を選択するかを検討するための多大な手間がかかり、ユーザの負担になっていた。
【０００７】
そこで、本発明は、前記した問題を解決し、スケジュールの変動に強く、かつ、信頼性の高いネットワーク資源の利用前予約方式を提案することを主な目的とする。
【課題を解決するための手段】
【０００８】
前記課題を解決するため、請求項１に記載のネットワーク資源予約方法は、移動体に伴って移動する通信端末がネットワークを利用する前に、前記ネットワークの資源を予約するアクセス提供システムによるネットワーク資源予約方法であって、
前記アクセス提供システムは、前記通信端末のネットワークの資源の予約を代行する予約代行装置と、前記移動体の最新の運行スケジュールを管理する移動体運行管理装置と、前記ネットワークの資源を管理するネットワーク資源管理装置とを含めて構成され、
前記予約代行装置が、前記通信端末のＩＤ、前記移動体のＩＤ、および、利用開始地点と利用終了地点とを含む前記移動体の利用情報を特定するための移動情報の入力を受け付ける手順と、
前記予約代行装置が、前記移動体のＩＤ、および、前記移動体の利用情報を基に、前記移動体運行管理装置から前記移動体の前記運行スケジュールを取得する手順と、
前記予約代行装置が、前記運行スケジュールから、前記移動体の到着予定地のネットワークを管理する前記ネットワーク資源管理装置を特定する手順と、
前記予約代行装置が、前記特定されたネットワーク資源管理装置に、前記運行スケジュールから特定される前記移動体の前記到着予定地での滞在期間について、前記通信端末のＩＤに対応する通信端末のネットワークの資源の予約を記憶手段に行う手順と、
を実行することを特徴とする。
【０００９】
これにより、最新の移動体の運行スケジュールに連動したネットワーク資源の予約を行うので、スケジュールの変動に強く、かつ、信頼性の高いネットワーク資源の利用前予約が可能となる。よって、無駄な予約を抑制することにより、ネットワーク機器および通信同線の使用効率が良く、ユーザにとって利便性の高いネットワークの利用を提供することができる。
【００１０】
請求項２に記載のネットワーク資源予約方法は、請求項１に記載のネットワーク資源予約方法であって、前記利用情報は、前記移動体における座席位置を特定する情報を含めて構成されることを特徴とする。
【００１１】
これにより、無線通信用電波の到達範囲などの技術的制約により、１つの移動体が複数のネットワークに接続されるような構成においても、利用するネットワークを特定することが可能となる。
【００１２】
請求項３に記載のネットワーク資源予約方法は、請求項１または請求項２に記載のネットワーク資源予約方法であって、前記アクセス提供システムは、前記ネットワークにアクセスする端末を認証するネットワーク認証装置をさらに含めて構成され、
前記予約代行装置が、前記運行スケジュールから、前記移動体の到着予定地のネットワークに関するネットワーク認証装置を特定する手順と、
前記予約代行装置が、前記特定されたネットワーク認証装置に、前記通信端末のＩＤに対応する通信端末の認証を行う手順と、
を実行することを特徴とする。
【００１３】
これにより、最新の移動体の運行スケジュールに連動したネットワークの事前認証を行うので、ネットワークを利用する直前ではなく、時間的な余裕をもって、認証を完了することができる。その結果、ユーザを認証のために待たせてしまうことが少なくなり、円滑なネットワークの利用を提供することができる。
【００１４】
請求項４に記載のネットワーク資源予約方法は、請求項１ないし請求項３のいずれか１項に記載のネットワーク資源予約方法であって、前記ネットワーク資源管理装置は、前記移動情報から特定される通信端末のネットワーク資源の予約を記憶手段に行う手順において、前記ネットワーク資源を既に予約または利用している端末に割り当てた資源の一部を、前記特定される通信端末の予約に再割り当てすることを特徴とする。
【００１５】
これにより、ネットワーク資源の予約時にネットワーク資源が不足していた場合でも、限りあるネットワーク資源を効率的に活用することができる。
【００１６】
請求項５に記載のネットワーク資源予約方法は、請求項１ないし請求項４のいずれか１項に記載のネットワーク資源予約方法であって、前記予約代行装置は、前記移動情報の入力を受け付ける手順において、前記移動情報が記録されたチケットから読み取られた前記移動情報の入力を受け付けることを特徴とする。
【００１７】
これにより、移動情報を送信する操作の手間を省略できる。
【００１８】
請求項６に記載のネットワーク資源予約方法は、請求項５に記載のネットワーク資源予約方法であって、前記予約代行装置は、前記移動情報の入力を受け付ける手順において、前記移動体の乗降場所に到着するために通過する改札口のチケット読み取り装置が、前記チケットから読み取った移動情報の入力を受け付けることを特徴とする。
【００１９】
これにより、移動情報を送信する操作の手間を省略できる。
【００２０】
請求項７に記載のアクセス提供システムは、移動体に伴って移動する通信端末がネットワークを利用する前に、前記ネットワークの資源を予約するアクセス提供システムであって、
前記アクセス提供システムは、前記通信端末のネットワークの資源の予約を代行する予約代行装置と、前記移動体の最新の運行スケジュールを管理する移動体運行管理装置と、前記ネットワークの資源を管理するネットワーク資源管理装置とを含めて構成され、
前記予約代行装置は、前記通信端末のＩＤ、前記移動体のＩＤ、および、前記移動体の利用情報を特定するための移動情報の入力を受け付ける移動情報入力手段と、前記運行スケジュールから前記移動体の到着予定地のネットワークを管理する装置を特定するネットワーク特定手段と、前記運行スケジュールから特定される前記移動体の前記到着予定地での滞在期間について前記通信端末のＩＤに対応する通信端末のネットワークの資源の予約を行う資源予約手段とを有し、
前記移動体運行管理装置は、前記移動体の運行スケジュールを管理する運行スケジュール管理手段と、前記移動体の運行スケジュールを最新のものに更新する運行スケジュール更新手段と、利用開始地点と利用終了地点とを含む前記移動体の利用情報を基に、前記移動体の前記運行スケジュールを取得する運行スケジュール取得手段とを有すること
を実行することを特徴とする。
【００２１】
これにより、最新の移動体の運行スケジュールに連動したネットワーク資源の予約を行うので、スケジュールの変動に強く、かつ、信頼性の高いネットワーク資源の利用前予約が可能となる。よって、無駄な予約を抑制することにより、ネットワーク機器および通信同線の使用効率が良く、ユーザにとって利便性の高いネットワークの利用を提供することができる。
【００２２】
請求項８に記載のアクセス提供システムは、請求項７に記載のアクセス提供システムであって、前記利用情報は、前記移動体における座席位置を特定する情報を含めて構成されることを特徴とする。
【００２３】
これにより、無線通信用電波の到達範囲などの技術的制約により、１つの移動体が複数のネットワークに接続されるような構成においても、利用するネットワークを特定することが可能となる。
【００２４】
請求項９に記載のアクセス提供システムは、請求項７または請求項８に記載のアクセス提供システムであって、前記アクセス提供システムは、前記ネットワークにアクセスする端末を認証するネットワーク認証装置をさらに含めて構成され、
前記予約代行装置は、前記ネットワーク特定手段により特定されたネットワークの前記ネットワーク認証装置に対して、前記通信端末のＩＤに対応する通信端末の認証を行う認証手段をさらに含めて構成されること
特徴とする。
【００２５】
これにより、最新の移動体の運行スケジュールに連動したネットワークの事前認証を行うので、ネットワークを利用する直前ではなく、時間的な余裕をもって、認証を完了することができる。その結果、ユーザを認証のために待たせてしまうことが少なくなり、円滑なネットワークの利用を提供することができる。
【００２６】
請求項１０に記載のネットワーク資源予約プログラムは、請求項１ないし請求項６のいずれか１項に記載のネットワーク資源予約方法を、コンピュータに実行させることを特徴とする。
【００２７】
これにより、最新の移動体の運行スケジュールに連動したネットワーク資源の予約を行うので、スケジュールの変動に強く、かつ、信頼性の高いネットワーク資源の利用前予約が可能となる。よって、無駄な予約を抑制することにより、ネットワーク機器および通信同線の使用効率が良く、ユーザにとって利便性の高いネットワークの利用を提供することができる。
【００２８】
請求項１１に記載の記録媒体は、請求項１ないし請求項６のいずれか１項に記載のネットワーク資源予約方法を、コンピュータに実行させるためのネットワーク資源予約プログラムを格納することを特徴とする。
【００２９】
これにより、最新の移動体の運行スケジュールに連動したネットワーク資源の予約を行うので、スケジュールの変動に強く、かつ、信頼性の高いネットワーク資源の利用前予約が可能となる。よって、無駄な予約を抑制することにより、ネットワーク機器および通信同線の使用効率が良く、ユーザにとって利便性の高いネットワークの利用を提供することができる。
【発明の効果】
【００３０】
本発明は、最新の運行スケジュールに連動したネットワーク資源の予約を行うことを特徴とする。これにより、スケジュールの変動に強く、かつ、信頼性の高いネットワーク資源の利用前予約が可能となる。よって、無駄な予約を抑制することにより、ネットワーク機器および通信同線の使用効率が良く、ユーザにとって利便性の高いネットワークの利用を提供することができる。
【発明を実施するための最良の形態】
【００３１】
以下に、本発明が適用されるアクセス提供システムの一実施形態について、図面を参照して詳細に説明する。まず、本実施形態のアクセス提供システムの構成について、図１および図２を参照して説明する。
【００３２】
図１は、アクセス提供システムの構成図である。アクセス提供システムは、通信端末１１がネットワーク４０を利用する前に、ネットワーク４０の資源を予約する機能を有する。そして、アクセス提供システムは、通信端末１１が、列車などの交通機関である移動体１２に伴って移動することを前提とする。さらに、アクセス提供システムは、移動体１２の最新の運行スケジュールを管理する移動体運行管理装置２０と、通信端末１１の資源の予約を代行する予約代行装置３０と、を含めて構成される。なお、アクセスポイント４１は、通信端末１１がネットワーク４０を利用する際の接点となるゲートウェイ装置である。
【００３３】
ここで、ネットワーク４０の資源は、例えば、回線の最低通信速度やネットワーク内の平均遅延時間、利用不能時間の上限などのサービス品質を、ネットワーク４０が提供するためのネットワークに関するリソースである。また、ネットワーク４０の資源は、ネットワーク４０を構成する通信機器の計算機資源（演算装置、メモリなど）を含んでも良い。
【００３４】
なお、ネットワーク４０は、移動体１２の各到着予定地から、アクセス可能な場所に位置している。例えば、図７（Ａ）は、各到着予定地が駅である場合（つまり、移動体１２が列車である）における東京駅からアクセス可能な第１ネットワーク、名古屋駅からアクセス可能な第２ネットワーク、新大阪駅からアクセス可能な第３ネットワーク、の３つの例を示している。
【００３５】
ここで、運行スケジュールは、移動体１２の運行を管理する交通システムなどが提供する情報である。例えば、列車の運行スケジュールは、予め決められた運行ダイアグラムが、現在の運行状況にあわせて、更新されたものである。そして、人身事故などの不測の事態が発生しても、運行スケジュールは、その事態に併せて交通システムなどにより適宜修正（到着時刻の遅延、迂回路の選択など）される。よって、最新の運行スケジュールは、現在の運行状況によって更新されたスケジュールとなる。
【００３６】
図２は、アクセス提供システムの装置構成を詳細に説明する構成図である。移動体運行管理装置２０は、移動体１２の運行スケジュールを管理する運行スケジュール管理手段２１と、移動体の運行スケジュールを最新のものに更新する運行スケジュール更新手段２２と、移動体のＩＤ、および、移動体１２の利用情報を基に移動体の運行スケジュールを取得する運行スケジュール取得手段２３と、を含めて構成される。
【００３７】
予約代行装置３０は、通信端末のＩＤ、移動体のＩＤ、および、利用開始地点と利用終了地点とを含む移動体１２の利用情報を特定するための移動情報の入力を受け付ける移動情報入力手段３１と、運行スケジュールから移動体１２の到着予定地のネットワークを管理する装置を特定するネットワーク特定手段３２と、運行スケジュールから特定される移動体の到着予定地での滞在期間について通信端末のＩＤに対応する通信端末のネットワーク資源の予約を行う資源予約手段３３と、通信端末のＩＤに対応する通信端末の認証を行う認証手段３４と、を含めて構成される。
【００３８】
なお、移動体のＩＤは、基本的には、運行スケジュールの所定の期間に運行される移動体（列車など）を一意に特定するためのＩＤである。よって、３月１０日に東京駅（午前９時発）から新大阪駅（午前１１時着）までを走行する所定の新幹線と、同日に新大阪駅（午前１１時２０分発）から名古屋（午後０時２０分着）までを走行する同一車両（同一ハードウェア）の新幹線とは、利用する車両は同一でも、運行スケジュール上は、別の車両（上りと下りとの差）となるため、割り当てられる移動体１２のＩＤは、別のものとなる。
【００３９】
さらに、移動体のＩＤは、１つの列車に対して、複数のＩＤが割り当てられてもよい。これは、所定の移動体が、始点から終点までの間の中継地で、分岐する場合などに対処したものである。その場合、分岐後に分割される２つの列車それぞれに、移動体のＩＤが割り当てられるものとする。
【００４０】
ネットワーク４０は、通信端末１１をネットワーク４０にアクセスさせるためのアクセスポイント４１と、ネットワーク４０の資源を管理するネットワーク資源管理装置４２と、ネットワークにアクセスする端末を認証するネットワーク認証装置４３と、を含めて構成される。なお、ネットワーク資源管理装置４２は、ネットワーク４０の資源の予約結果を記憶する予約記憶手段４２Ａを有し、ネットワーク認証装置４３は、端末の認証結果を記憶する認証記憶手段４３Ａを有する。
【００４１】
ここで、移動情報入力手段３１が入力を受け付ける利用情報が、利用開始地点と利用終了地点とを含むこととするのは、移動体１２の乗客が、移動体１２の運行スケジュールにおける始点から終点までの全経路において、移動体１２に乗るとは限らないという事象を反映することによる。つまり、移動体１２の乗客が、経路の一部のみで移動体１２内に乗車することが、チケットの予約において予め分かっていることがあり、その場合には、移動体１２の乗客が移動体１２に乗らない区間におけるネットワーク資源の予約処理は、不要である。そこで、ネットワーク資源の予約処理に使用される運行スケジュールを、移動体１２の乗客が利用する区間に限ることにより、無駄なネットワーク資源の予約処理を抑制することが可能となる。
【００４２】
なお、移動情報入力手段３１が入力を受け付ける利用情報は、移動体１２における座席を特定する情報を含めて構成されてもよい。これは、所定の移動体１２が、同時に複数のネットワーク４０に接続する形態において、複数のネットワーク４０のうち、いずれのネットワーク４０に接続されるかを、特定するための情報となる。例えば、移動体１２が１６両編成の新幹線である場合に、新幹線の最前列（１両目）の車両と、最後尾（１６両目）の車両とでは、距離が離れてしまう。よって、無線通信用電波の到達範囲などの技術的制約により、１つのネットワーク４０では、１つの新幹線の車両全体を通信可能にすることができないこととなってしまう。その場合、１つの新幹線が、車両の位置に応じて、接続するネットワーク４０を変更するような構成となる。そして、座席の位置を特定する情報を用いることにより、その座席近辺にある通信端末１１の接続するネットワーク４０が、一意に特定される。
【００４３】
以上、アクセス提供システムの構成について、説明した。次に、本実施形態のアクセス提供システムの動作について、図１および図２を参照しつつ、図３および図４に沿って説明する。
【００４４】
図３は、アクセス提供システムのネットワーク予約処理を示すフローチャートである。
【００４５】
まず、通信端末１１は、移動情報を、予約代行装置３０に送信する（Ｓ１０１）。次に、予約代行装置３０は、受信した移動情報を含めて、運行スケジュールを、移動体運行管理装置２０に要求する（Ｓ１０２）。そして、移動体運行管理装置２０は、移動情報から取得された運行スケジュールを、予約代行装置３０に送信する（Ｓ１０３）。
【００４６】
なお、移動体運行管理装置２０が移動情報から運行スケジュールを取得する際には、運行スケジュール取得手段２３は、移動体のＩＤをキーとして、運行スケジュール管理手段２１から、その移動体のＩＤに対応する運行スケジュールを取得する（図７（Ｂ）参照）。
【００４７】
さらに、予約代行装置３０は、運行スケジュールからの移動先のネットワーク４０を特定する（Ｓ１０４）。これは、運行スケジュールにおける各到着予定地から、利用可能なネットワークを検索する処理となる。よって、予約代行装置３０は、図７（Ｃ）に示すような、ネットワーク対応表を元に、ネットワーク４０を特定する。なお、このネットワーク対応表は、予約代行装置３０自身が有していてもよいし、別の装置が有していてもよい。
【００４８】
そして、予約代行装置３０は、移動先のネットワーク４０についての通信端末１１の認証を、ネットワーク認証装置４３に要求する（Ｓ１０５）。さらに、ネットワーク認証装置４３は、通信端末１１の認証結果を、予約代行装置３０に送信する（Ｓ１０６）。
【００４９】
そして、予約代行装置３０は、ネットワーク資源管理装置４２に対して、通信端末１１の認証結果を基にネットワーク資源予約を要求する（Ｓ１０７）。さらに、ネットワーク資源管理装置４２は、通信端末１１のネットワーク資源予約結果を、予約代行装置３０に送信する（Ｓ１０８）。
【００５０】
そして、予約代行装置３０は、ネットワーク予約の結果を、通信端末１１に通知する（Ｓ１０９）。
【００５１】
図４は、アクセス提供システムの運行スケジュールの変更に関する処理を示すフローチャートである。
【００５２】
まず、予約代行装置３０は、変更された運行スケジュールを、移動体運行管理装置２０に通知する（Ｓ２０１）。次に、予約代行装置３０は、通信端末１１の認証結果を基にネットワーク資源予約を、ネットワーク資源管理装置４２に要求する（Ｓ２０２）。そして、ネットワーク資源管理装置４２は、通信端末のネットワーク資源予約結果を、予約代行装置３０に送信する（Ｓ２０３）。さらに、予約代行装置３０は、ネットワーク予約の結果を、通信端末１１に通知する（Ｓ２０４）。
【００５３】
以上説明した本発明は、以下のように発明の趣旨を逸脱しない範囲で広く変形実施することができる。
【００５４】
例えば、アクセス提供システムは、ネットワーク資源を既に予約または利用している端末に割り当てた資源の一部を、今回行う通信端末１１の予約に再割り当てすることとしてもよい。以下、具体例で説明する。
【００５５】
図５は、アクセス提供システムの帯域予約に関する説明図である。図５（Ａ）は、３つの通信（通信１、通信２、通信３）が既に予約されている状態であり、図５（Ｂ）は、３つの通信に加えて、１つの通信（通信４）が新たに予約されている状態を示している。そして、図５におけるクラスＡは、高品質（例えば１００Ｍｂｐｓ）の帯域が割り当てられる通信を意味し、クラスＢは、低品質（例えば１０Ｍｂｐｓ）の帯域が割り当てられる通信を意味する。よって、通信４を予約する際に、クラスＡの残りの利用可能な通信数が足りない場合には、既にクラスＡを使用している通信のいずれか（例えば通信１）を、クラスＢに降格することによって、通信４をクラスＡの品質で予約することが可能となる（図５（Ｂ）参照）。
【００５６】
また、アクセス提供システムは、移動体１２の乗降場所に到着するために通過する改札口のチケット読み取り装置が、チケットから読み取った移動情報の入力を受け付けることとしてもよい。図６は、アクセス提供システムのチケット読み取り装置１３を介する移動情報の入力を示す構成図である。これにより、予約代行装置３０は、チケット読み取り装置１３がチケットから読み取った移動情報を元に、ネットワークの認証および資源予約を行う。
【００５７】
さらに、アクセス提供システムは、移動体１２として、駅に停車する列車のほかに、様々な移動体を対象とすることができる。例えば、空港に着陸する飛行機や、港に停泊する船舶、停留所に停車するバスなどの、ダイヤ（運行表）のあるあらゆる乗り物が、移動体として利用可能である。
【図面の簡単な説明】
【００５８】
【図１】本発明の一実施形態に関するアクセス提供システムの構成図である。
【図２】本発明の一実施形態に関するアクセス提供システムの装置構成を詳細に説明する構成図である。
【図３】本発明の一実施形態に関するアクセス提供システムのネットワーク予約処理を示すフローチャートである。
【図４】本発明の一実施形態に関するアクセス提供システムの運行スケジュールの変更に関する処理を示すフローチャートである。
【図５】本発明の一実施形態に関するアクセス提供システムの帯域予約に関する説明図である。
【図６】本発明の一実施形態に関するアクセス提供システムのチケット読み取り装置を介する移動情報の入力を示す構成図である。
【図７】本発明の一実施形態に関するアクセス提供システムの運行スケジュールの説明図である。
【符号の説明】
【００５９】
１１    通信端末
１２    移動体
１３    チケット読み取り装置
２０    移動体運行管理装置
２１    運行スケジュール管理手段
３０    予約代行装置
３１    移動情報入力手段
３２    ネットワーク特定手段
３３    資源予約手段
３４    認証手段
４０    ネットワーク
４１    アクセスポイント
４２    ネットワーク資源管理装置
４３    ネットワーク認証装置
【図１】
2005260487.tif 000003
【図２】
2005260487.tif 000004
【図３】
2005260487.tif 000005
【図４】
2005260487.tif 000006
【図５】
2005260487.tif 000007
【図６】
2005260487.tif 000008
【図７】
2005260487.tif 000009